(57)【要約】【課題】デジタルカメラにおいて正確な位置データの保持を促進する。【解決手段】デジタルカメラの外部機器（携帯電話機）は、アシスト型ＧＰＳ等を利用して位置データ（現在地データ）を取得する。デジタルカメラは、定期的な通信によって外部機器から位置データを取得して保持し、撮影画像データへの付与等に利用する。デジタルカメラからバッテリが取り外されるなどにより、長時間の通信接続遮断があった後、接続が復帰したとき、カメラは、即座に最新の位置データを外部機器から取得して保持データを更新する。【選択図】図５
2014127911.tif 000002
【特許請求の範囲】
【請求項１】
位置データを取得可能な外部機器と通信を行う通信部と、
前記通信部を介して前記外部機器から取得した前記位置データを保持するメモリと、
前記通信部を介して前記外部機器から前記位置データを間隔をおいて繰り返し取得することで前記メモリの保持データを順次更新する第１更新動作、及び、前記第１更新動作とは別に前記通信部を介して前記外部機器から前記位置データを取得することで前記メモリの保持データを更新する第２更新動作を行う制御部と、を備え、
前記制御部は、前記通信において所定時間以上の接続遮断があったとき、その後の接続復帰に連動して前記第２更新動作を実行する
ことを特徴とする電子機器。
【請求項２】
前記通信部は、前記外部機器との間で、前記通信の接続維持用のデータ交換を継続的に行い、
前記第１更新動作において、前記位置データは、前記接続維持用のデータ交換を利用して取得される
ことを特徴とする請求項１に記載の電子機器。
【請求項３】
撮影により画像信号を取得するカメラ部を更に備え、
前記制御部は、前記カメラ部の電源がオフとされているとき、前記第１及び前記第２更新動作の内、前記第１更新動作のみを実行し、前記カメラ部の電源がオンとされているとき、前記第１更新動作を実行するとともに前記第２更新動作の実行を許可する
ことを特徴とする請求項１又は請求項２に記載の電子機器。
【請求項４】
前記メモリは、前記第１更新動作において異なる時刻で取得された複数の位置データを保持する
ことを特徴とする請求項１〜請求項３の何れかに記載の電子機器。
【発明の詳細な説明】
【技術分野】
【０００１】
本発明は、デジタルカメラ等の電子機器に関する。
【背景技術】
【０００２】
グローバルポジショニングシステム（ＧＰＳ）を利用した測位機能がデジタルカメラに設けられていることも多い。この種のデジタルカメラでは、測位機能を用いて取得した位置データを撮影画像データに付加することができる。ＧＰＳによる測位処理には或る程度の時間（例えば最低３０秒以上）が必要になると共に、衛星からの電波の受信環境が悪いときには測位が失敗することもある。
【０００３】
一方、携帯電話機にも測位機能が設けられていることが多く、アシスト型ＧＰＳが有益な場面も多い。アシスト型ＧＰＳでは、携帯電話網を用いることで、衛星からの電波の受信環境が悪いときでも、比較的短時間で正確な位置データを取得できる可能性が高い。下記特許文献１には、携帯電話機にて取得した位置データをデジタルカメラに転送する技術が示されている。
【先行技術文献】
【特許文献】
【０００４】
【特許文献１】特開２００４−９６１６５号公報
【発明の概要】
【発明が解決しようとする課題】
【０００５】
携帯電話機にて取得した位置データをデジタルカメラに転送する場合、例えば、所定スケジュールに沿って位置データの送受信を定期的に行うといった方法が検討される。一方で、位置データを転送するためのデジタルカメラ及び携帯電話機間の通信接続（例えば、Bluetooth（登録商標）による通信接続）は、様々な要因によって遮断されることもある。
【０００６】
通信接続が長時間遮断された後にデジタルカメラが保持している位置データは、随分過去に取得された位置データであってデジタルカメラの現在地を正しく示していないことも多い。或いは、接続遮断後には位置データがデジタルカメラに残らない場合もある。故に、接続復帰直後においては正確な位置データをデジタルカメラが認識できないこともある。撮影画像データに正確な位置データを付加するためにも、デジタルカメラが正しい位置データを保持していない状況は、なるだけ回避された方が良い。ここでは、デジタルカメラと携帯電話機を例に挙げたが、２つの任意の電子機器の間で上述と同様の事象があてはまりうる。
【０００７】
そこで本発明は、正しい位置データの保持促進に寄与する電子機器を提供することを目的とする。
【課題を解決するための手段】
【０００８】
本発明に係る電子機器は、位置データを取得可能な外部機器と通信を行う通信部と、前記通信部を介して前記外部機器から取得した前記位置データを保持するメモリと、前記通信部を介して前記外部機器から前記位置データを間隔をおいて繰り返し取得することで前記メモリの保持データを順次更新する第１更新動作、及び、前記第１更新動作とは別に前記通信部を介して前記外部機器から前記位置データを取得することで前記メモリの保持データを更新する第２更新動作を行う制御部と、を備え、前記制御部は、前記通信において所定時間以上の接続遮断があったとき、その後の接続復帰に連動して前記第２更新動作を実行する
ことを特徴とする
【０００９】
第１更新動作に加えて第２更新動作を行うことにより、その時々の正しい位置データを保持することが期待される。通信において所定時間以上の接続遮断があったときには、その後の接続復帰に連動して第２更新動作を行うことにより、正しい位置データとして期待される最新の位置データを、第１更新動作を待たずに接続復帰直後から取得することができる。つまり、当該電子機器において、正しい位置データの保持が促進される（正しい位置データを保持している確率が高まる）。
【００１０】
例えば、前記通信部は、前記外部機器との間で、前記通信の接続維持用のデータ交換を継続的に行い、前記第１更新動作において、前記位置データは、前記接続維持用のデータ交換を利用して取得されてもよい。
【００１１】
これにより、位置データの転送専用の通信を行う必要がなくなる。
【００１２】
また例えば、当該電子機器は、撮影により画像信号を取得するカメラ部を更に備えていても良い。そして例えば、前記制御部は、前記カメラ部の電源がオフとされているとき、前記第１及び前記第２更新動作の内、前記第１更新動作のみを実行し、前記カメラ部の電源がオンとされているとき、前記第１更新動作を実行するとともに前記第２更新動作の実行を許可してもよい。
【００１３】
また例えば、前記メモリは、前記第１更新動作において異なる時刻で取得された複数の位置データを保持できても良い。
【発明の効果】
【００１４】
本発明によれば、正しい位置データの保持促進に寄与する電子機器を提供することが可能である。
【図面の簡単な説明】
【００１５】
【図１】本発明の実施形態に係るシステムの全体構成図である。
【図２】本発明の実施形態に係るデジタルカメラの内部ブロック図である。
【図３】図２の操作部の内部ブロック図である。
【図４】通信動作及び位置データの取得に関わる、デジタルカメラの動作フローチャートである。
【図５】通信動作及び位置データの取得に関わる、デジタルカメラの動作フローチャートである。
【発明を実施するための形態】
【００１６】
以下、本発明の実施形態の例を、図面を参照して具体的に説明する。参照される各図において、同一の部分には同一の符号を付し、同一の部分に関する重複する説明を原則として省略する。尚、本明細書では、記述の簡略化上、情報、信号、物理量、状態量又は部材等を参照する記号又は符号を記すことによって該記号又は符号に対応する情報、信号、物理量、状態量又は部材等の名称を省略又は略記することがある。
【００１７】
図１に、本発明の実施形態に係るシステム（位置データ共有システム）の全体構成図である。当該システムは、第１電子機器としての電子機器１と、第２電子機器としての電子機器２と、を備える。電子機器１及び２は双方向の通信が可能である。
【００１８】
電子機器１及び２の夫々は、任意の信号又はデータを取得、演算、処理可能な任意の種類の電子機器であって良く、例えば、デジタルカメラ、携帯電話機、情報端末、ゲーム機器、パーソナルコンピュータに分類される。本実施形態では、電子機器１がデジタルカメラ（撮像装置）であるとする。デジタルカメラ１（以下、カメラ１と略記することがある）は、静止画像及び動画像を撮影及び記録可能なデジタルカメラである。但し、カメラ１は、静止画像のみを撮影及び記録可能なデジタルスチルカメラであっても良い。
【００１９】
電子機器２は、カメラ１にとっての外部機器に相当する。電子機器２は、自身の現在地を示す位置データを取得可能である。例えば、電子機器２は、グローバルポジショニングシステム（ＧＰＳ）を形成する衛星より送信される信号を受信し、受信信号に基づき電子機器２の現在地（所在地）を求める測位処理を行うことで位置データ（現在地データ）を取得する。位置データは、電子機器２の経度及び緯度を含み、更に高度を含みうる。電子機器２における位置データの取得方法は任意であるが、本実施形態では特に、電子機器２がアシスト型ＧＰＳを利用可能な端末であることを想定する。即ち例えば、電子機器２は、携帯電話網を介して基地局から取得した衛星軌道データを用い、位置データを演算及び取得することがきる。電子機器２は、周期的に位置データを取得できると共に任意のタイミングにおいても位置データを取得できる。
【００２０】
図２は、カメラ１の概略内部ブロック図である。カメラ１は、符号１１〜１７、２１〜２３、３１及び３２によって参照される各部位を備える。
【００２１】
撮像部１１は、撮像素子を用いて、撮影画角内に収まる被写体を撮影することにより被写体画像の画像信号を得る。撮像部１１は、光学系と、ＣＣＤ（Charge Coupled Device）又はＣＭＯＳ（Complementary Metal Oxide Semiconductor）イメージセンサなどから成る撮像素子（固体撮像素子）とを備え、撮像素子から被写体画像の画像信号が出力される。画像処理部１２は、撮像素子の出力画像信号に対して所定の画像処理（例えば、デジタル化処理、ノイズ低減処理、デモザイキング処理）を実行する。
【００２２】
主制御部１３は、ＣＰＵ（Central Processing Unit）などから成り、主として、撮像部１１、画像処理部１２、メモリ１４及び表示部１５の動作を統括的に制御する。また、主制御部１３は、記録媒体１７へのデータ記録動作及び記録媒体１７からのデータ読み出し動作の制御も行う。第１メモリとしてのメモリ１４は、ＳＤＲＡＭ（Synchronous Dynamic Random Access Memory）等にて形成され、主として、撮像部１１、画像処理部１２、主制御部１３及び表示部１５にて取り扱う信号及びデータを一時的に記憶する。表示部１５は、液晶ディスプレイパネル等の表示画面を有する表示装置であり、主制御部１３の制御の下、任意の画像を表示する。
【００２３】
操作部１６は、図３に示す如く、静止画像の撮影指示を受けるシャッタボタン１６ａ、動画像の撮影及び記録の開始指示又は動画像の撮影及び記録の停止指示を受ける録画ボタン１６ｂ及び電源ボタン１６ｃを含む操作部材を備え、外部からの各種操作を受け付ける。操作部１６における幾つかのボタンは、表示部１５に設けられうるタッチパネル上のボタンであっても良い。記録媒体１７は、カード状半導体メモリや磁気ディスク等の不揮発性メモリであり、主制御部１３による制御の下、撮影画像の画像信号を含む任意の信号及びデータを記録する。
【００２４】
通信部２１は、任意の通信規格に従い、カメラ１以外の通信機能を有する機器との間で任意のデータの通信を行う。カメラ１以外の通信機能を有する機器には、電子機器２が含まれる。通信部２１を用いたカメラ１及び電子機器２間の通信は無線通信であるが、有線通信であっても良い。以下の説明において、無線通信又は通信とは、カメラ１及び電子機器２間の無線通信又は通信を指す。例えば、通信部２１は、Bluetooth（登録商標）の通信規格に従い、又は、無線ＬＡＮ（Local Area Network）を介して、電子機器２と無線通信を行う。消費電力の低減を目指し、Bluetooth（登録商標）としてＢＬＥ（Bluetooth （登録商標）Low Energy）が利用されても良い。
【００２５】
通信／更新制御部２２（以下、制御部２２と略記することがある）は、通信部２１における通信動作を制御すると共に、第２メモリとしてのメモリ２３の動作制御を行う。メモリ２３の動作制御には、メモリ２３の保持データの更新制御（詳細は後述）が含まれる。メモリ２３は、主として、通信部２１を介して電子機器２から取得した位置データを保持（即ち記憶）する。メモリ２３は、揮発性メモリ若しくは不揮発性メモリ又はそれらの組み合わせにて形成される。
【００２６】
バッテリ３１は、カメラ１に対して着脱可能な一次電池又は二次電池である。電源回路３２は、バッテリ３１の出力電圧からカメラ１内の各部位に対する電源電圧を生成する。
【００２７】
本実施形態では、カメラ１及び電子機器２間の距離が比較的短いことを想定している。典型的には例えば、一人のユーザがカメラ１と電子機器２を同時に所持していて、当該距離が約１メートル又は数１０センチメートル程度しか離れていないことを想定している。従って、カメラ１では、メモリ２３に保持された位置データを、カメラ１の現在地を示す位置データとみなすことが可能である。例えば、主制御部１３は、記録媒体１７に撮影画像の画像データを記録する際、メモリ２３に保持された最新の位置データを当該画像データに付加して記録媒体１７に記録することができる。
【００２８】
図４を参照し、通信部２１を用いた、カメラ１による位置データの取得方法について詳説する。図４は、位置データの取得に関わる、カメラ１の動作フローチャートである。
【００２９】
まず、ステップＳ１１において、制御部２２は、無線通信の接続を確立させる接続確立動作を行う。接続確立動作において、制御部２２は、通信部２１を用い、カメラ１及び電子機器２間において接続確立用の所定データの交換（無線によるやりとり）を行い、この交換の完了によって無線通信の接続を確立させる（この交換が完了しない場合、無線接続の接続は確立されない）。無線通信の接続確立後、カメラ１及び電子機器２間において任意のデータの送受信が可能となる。
【００３０】
無線通信の接続確立後、ステップＳ１２において、制御部２２は、接続維持動作及び基本更新動作を行う。接続維持動作において、通信部２１は、電子機器２との間で、無線通信の接続維持用のデータ交換を行うことで、無線通信の接続を維持する。基本更新動作において、制御部２２は、通信部２１を介して電子機器２から最新の位置データを取得し、取得した位置データにてメモリ２３の保持データを更新する。
【００３１】
ステップＳ１３において、制御部２２は、無線通信の接続が維持されているか否かを確認する。無線通信の接続が維持されている場合、ステップＳ１３からステップＳ１２に戻り、ステップＳ１２の接続維持動作及び基本更新動作が繰り返される。
【００３２】
ステップ１２の基本更新動作の繰り返しを定期更新動作（第１更新動作）と呼ぶ。定期更新動作において、制御部２２は、通信部２１を介し電子機器２から位置データが間隔をおいて繰り返し取得し（例えば１０秒おきに周期的に取得し）、これによって順次取得される位置データにてメモリ２３の保持データを順次更新する。具体的には、定期更新動作により、通信部２１及び制御部２２は、第１〜第ｎ時刻において電子機器２から第１〜第ｎ位置データを取得することができる（ｎは２以上の整数）。任意の整数ｉに関し、第ｉ位置データは第ｉ時刻に取得される位置データであり、また、第ｉ時刻は第（ｉ＋１）時刻よりも前の時刻であるとする。メモリ２３は、第１〜第ｎ位置データを保持することができる。この際、メモリ２３は、第１〜第ｎ時刻に関連付けて第１〜第ｎ位置データを保持することができる。カメラ１（例えば主制御部１３）は、メモリ２３に保持された第１〜第ｎ位置データに基づき、第１〜第ｎ時刻間における、カメラ１の移動経路（ユーザの移動ログ）を作成することができる。但し、メモリ２３は、１つの位置データのみを保持しても良い。即ち、第ｉ位置データがメモリ２３に保持されている状態において、通信部２１により第（ｉ＋１）位置データが取得された場合、メモリ２３に第（ｉ＋１）位置データしか保持されないように、メモリ２３に保持される１つの位置データを順次上書きするようにしても良い。
【００３３】
尚、ここでは、基本更新動作の繰り返しを定期更新動作と呼んではいるが、基本更新動作の繰り返しは、定期的なものであるとは限らず、基本更新動作を不定期に複数回繰り返し実行することも定期更新動作（第１更新動作）に属する。また、位置データの取得の度に、保持データの更新が常に行われるとは限らない。通信部２１及び制御部２２が電子機器２から取得した位置データに関し、今回取得した位置データが前回取得した位置データと同じである場合、メモリ２３の保持データに変化は無くてもよい。また、電子機器２が保持する位置データに変化が無い場合には、電子機器２はカメラ１に対する位置データの送信を省略しても良い。
【００３４】
接続維持動作における接続維持用のデータ交換は、例えば、通信部２１から電子機器２への第１信号の送信と、その第１信号に応答して電子機器２から送信される第２信号の通信部２１での受信と、を含む。通信部２１から第１信号を送信した後、所定時間以内に電子機器２からの第２信号が通信部２１にて受信された場合、制御部２２は、無線通信の接続が維持されていると判断する。一方、通信部２１から第１信号を送信した後、所定時間が経過しても第２信号が通信部２１にて受信されない場合、制御部２２は、無線通信の接続が維持されていない、即ち、無線通信の接続が遮断されたと判断する。
【００３５】
定期更新動作において、通信部２１及び制御部２２は、接続維持用のデータ交換を利用して位置データを取得すると良い。これにより、位置データの取得のための専用通信を行う必要がなくなる（但し、専用通信を行うようにしても良い）。これを実現すべく、例えば、  通信部２１及び制御部２２は、上記第１信号に、位置データの要求信号（即ち、位置データを要求する信号）を含めると良い。そうすると、電子機器２からの第２信号に、電子機器２で取得した最新の位置データが含められる。
【００３６】
接続維持用のデータ交換を利用して位置データを取得する場合、１回の接続維持動作に対して１回の基本更新動作を割り当てても良いし（即ち、カメラ１は接続維持動作を行うごとに位置データの要求及び取得を行うようにしても良いし）、複数回の接続維持動作に対して１回の基本更新動作を割り当てても良い。尚、通信部２１は、１つの位置データを複数回に分けて受信するようにしても良い。即ち例えば、１つの位置データを３つの分割位置データに分け、通信部２１は、３つの分割位置データを互いに異なる３つの時刻において１つずつ受信するようにしても良い。この場合、当該３つの時刻を内包する期間ごとに、１つの位置データがカメラ１にて取得される。当該期間の長さは例えば３０秒である。位置データの分割数は３以外でも良い。
【００３７】
ステップＳ１３において、無線通信の接続が維持されていない（即ち無線通信の接続が遮断された）と判断されたとき、ステップＳ１３からステップＳ１４への遷移が発生する。ステップＳ１４において、制御部２２は、通信部２１を用い無線通信の接続が再度確立されるように、再度の接続確立動作（接続確立の再試行）を行う。続くステップＳ１５において接続の再確立が成功したか否かが判断される。無線通信の接続が再確立すれば（即ち接続が復帰すれば）ステップＳ１２に戻るが、再確立しなければステップＳ１４の処理が繰り返される。
【００３８】
基本更新動作の繰り返しによる定期更新動作とは別に、カメラ１では、即時更新動作（第２更新動作）が実行される。即時更新動作において、制御部２２は、通信部２１を介して電子機器２から最新の位置データを取得し、取得した位置データにてメモリ２３の保持データを更新する。即時更新動作により取得された位置データはメモリ２３の保持データに含められる。即時更新動作では、まず、通信部２１が位置データの要求信号を電子機器２に対して送信し、その要求信号に応答して電子機器２から送信されてきた最新の位置データを通信部２１が受信する。
【００３９】
制御部２２は、所定のトリガ条件の充足下において即時更新動作を行うことができる。例えば、操作部１６を介して特定の指示がカメラ１に入力されたとき、該トリガ条件が充足する。より具体的には例えば、シャッタボタン１６ａを介して静止画像の撮影指示がカメラ１に入力されたとき、録画ボタン１６ｂを介して動画像の撮影及び記録指示がカメラ１に入力されたとき、又は、電源ボタン１６ｃへの操作に応答してカメラ１の電源状態が後述のカメラ電源オフ状態からカメラ電源オン状態へと切り替わったとき、該トリガ条件が充足する。
【００４０】
この他、カメラ１は、無線通信の接続復帰に連動して即時更新動作を行うこともできる。この動作を、図５を参照して説明する。今、ステップＳ２１において、無線通信の接続が確立されている状態から無線通信の接続が遮断される状態へと変化したことを考える。この場合、ステップＳ２２において、制御部２２は、その変化が生じた時点からの経過時間ｔDCを計測する。この計測は接続が再確立するまで継続される。従って、計測される時間ｔDCは、接続遮断の持続時間に相当する。ステップＳ２２に続くステップＳ２３では、接続確立動作により無線通信の接続が再確立する（即ち接続が復帰する）。
【００４１】
ステップＳ２３にて接続が再確立すると、ステップＳ２４において、制御部２２は、接続遮断が持続していた時間ｔDCを所定の基準時間ｔTHと比較する。そして、制御部２２は、時間ｔDCが基準時間ｔTH以上である場合にはステップＳ２５の即時更新動作を行ってからステップＳ１２（図４参照）への遷移を発生させる一方で、時間ｔDCが基準時間ｔTH未満である場合には即時更新動作を行うことなくステップＳ１２への遷移を発生させる。
【００４２】
ステップＳ２１における接続遮断の原因は、任意である。
例えば、接続維持動作によって無線通信の接続維持を試みたにも関わらず、カメラ１及び電子機器２間の距離の増大等により接続遮断が発生することがあり、そのような接続遮断は、ステップＳ２１の接続遮断の一種である。この場合、“図４のステップＳ１３のＮ”が“図５のステップＳ２１”に相当し、且つ、“図４のステップＳ１４及びステップＳ１５のＹ”が“図５のステップＳ２３”に相当する。
或いは例えば、バッテリ３１がカメラ１から取り外されることで電源回路３２から通信用の電源電圧が通信部２１及び制御部２２に供給されなくなる。この電源電圧の供給停止に伴う接続遮断も、ステップＳ２１の接続遮断の一種である。この場合、電源回路３２から通信部２１及び制御部２２に対し電源電圧の供給が再開すると、ステップＳ２３にて接続確立動作が行われる。尚、時間ｔDCを計測するタイマ（カメラ１内のタイマ；不図示）は、バッテリ３１がカメラ１から取り外されていても、バッテリ３１とは異なる電力源（コイン型リチウムイオン電池や容量素子等からの出力電力）を駆動源として時間ｔDCを計測し続ける。
或いは例えば、通信部２１及び制御部２２は、所定の休止条件の充足下において（例えば動画像の撮影及び記録中において）、接続維持動作の実行を休止して意図的に無線通信の接続を遮断するようにしても良い。
【００４３】
上述の如く、無線通信において所定時間ｔTH以上の接続遮断があったとき、制御部２２は、その後の接続復帰（即ち無線通信の接続再確立）に連動して、定期更新動作とは別に即時更新動作を実行する。即ち、現時点が定期更新動作における位置データの取得タイミングに相当するか否かに関係なく、接続復帰後、制御部２２は、即時に最新の位置データを電子機器２から取得してメモリ２３に保持する。これにより、カメラ１は、定期更新動作を待たずに、接続復帰直後からカメラ１の現在地を正確に示す位置データを取得することができる。
【００４４】
ところで、カメラ１内の電気的構成部は第１及び第２ブロックに大別される。電源回路３２は、バッテリ３１の出力電圧から第１電源電圧と第２電源電圧を生成し、第１電源電圧を第１ブロックに供給する一方で、第２電源電圧を第２ブロックに供給する。第１ブロックの各構成要素は第１電源電圧を駆動源として動作し、第２ブロックの各構成要素は第２電源電圧を駆動源として動作する。第１ブロックは、撮像部１１、画像処理部１２、主制御部１３、メモリ１４、表示部１５、操作部１６及び記録媒体１７を含む。第２ブロックは、通信部２１、制御部２２及びメモリ２３を含む。尚、第１電源電圧は、互いに異なる電圧値を持つ複数の電源電圧にて形成されうるし、第２電源電圧も、互いに異なる電圧値を持つ複数の電源電圧にて形成されうる。
【００４５】
電源ボタン１６ｃが押し下げられる度に、第１ブロックの電源（第１ブロックに対する第１電源電圧の供給）は、オン及びオフ間で切り替わる。第１ブロックの電源のオン、オフとは、夫々、電源回路３２から第１ブロックに対して第１電源電圧が供給されているカメラ電源オン状態、電源回路３２から第１ブロックに対して第１電源電圧が供給されていないカメラ電源オフ状態を指す。一方、第２電源電圧は、カメラ電源オン状態においても、カメラ電源オフ状態においても、電源回路３２から第２ブロックに対し供給されている。尚、電源ボタン１６ｃが押し下げられたか否かの判断に用いられる電気的ブロックに対しては、常に、電源回路３２から必要な駆動電圧が供給されているものとする。
【００４６】
制御部２２は、第１ブロックの電源がオフとされているとき、上述の定期更新動作及び即時更新動作の内、定期更新動作のみを実行する。一方、第１ブロックの電源がオンとされているとき、制御部２２は、定期更新動作を実行するとともに即時更新動作の実行を許可する。従って、第１ブロックの電源がオンとされているときに限って、制御部２２は、上述の方法に従い、必要に応じて即時更新動作を実行する。
【００４７】
カメラ電源オン状態では、画像撮影時点における位置データ等、その時々の正確な位置データが即時に必要になることも多い。従って、カメラ電源オン状態では、即時更新動作の実行を許可する。一方、カメラ電源オフ状態では、即時更新動作を行う必要性は低いため、消費電力の低減を図るべく即時更新動作を行わない。但し、上述の移動経路の作成を可能にするべく、カメラ電源オフ状態でも定期更新動作を行っておく。カメラ１を所持するユーザの移動期間中に、第１ブロックの電源がオフになっている期間が存在していたとしても、定期更新動作を継続実施しておくことで、メモリ２３の保持データから上記移動経路を作成することが可能である。
【００４８】
尚、第１ブロックの電源がオン又はオフのときにおいて、実際に定期更新動作又は即時更新動作が行われていない期間には、第２ブロック内の必要最小限の部分にのみ第２電源電圧を供給し、第２ブロック内の他の部分に対しては第２電源電圧の供給が停止されていても良い。
【００４９】
＜＜変形等＞＞
本発明の実施形態は、特許請求の範囲に示された技術的思想の範囲内において、適宜、種々の変更が可能である。以上の実施形態は、あくまでも、本発明の実施形態の例であって、本発明ないし各構成要件の用語の意義は、以上の実施形態に記載されたものに制限されるものではない。上述の説明文中に示した具体的な数値は、単なる例示であって、当然の如く、それらを様々な数値に変更することができる。上述の実施形態に適用可能な注釈事項として、以下に、注釈１〜注釈３を記す。各注釈に記載した内容は、矛盾なき限り、任意に組み合わせることが可能である。
【００５０】
［注釈１］
上記衛星からの受信信号に基づく上記測位処理を行うことでカメラ１の位置データ（現在地データ）を取得する測位処理部がカメラ１に備えられていても良く、通信部２１を介して電子機器２から取得される位置データは、当該測位処理部の測位結果を補完する役目を担っていても良い。当該測位処理部との比較において、アシスト型ＧＰＳを利用可能な電子機器２では、短時間で位置データを取得することが可能であり、また衛星からの電波受信環境が悪いときにも位置データを取得できる可能性が高い。
【００５１】
［注釈２］
カメラ１を、集積回路等のハードウェア、或いは、ハードウェアとソフトウェアの組み合わせによって構成することができる。カメラ１にて実現される機能の全部又は一部である任意の特定の機能をプログラムとして記述して、該プログラムをカメラ１に搭載可能なフラッシュメモリに保存しておき、該プログラムをプログラム実行装置（例えば、カメラ１に搭載可能なマイクロコンピュータ）上で実行することによって、その特定の機能を実現するようにしてもよい。上記プログラムは任意の記録媒体に記憶及び固定されうる。上記プログラムを記憶及び固定する記録媒体はカメラ１と異なる機器（サーバ機器等）に搭載又は接続されても良い。
【００５２】
［注釈３］
例えば、以下のように考えることができる。カメラ（撮像装置）１には、撮影により画像信号を取得するカメラ部が備えられている。カメラ部は、上述の第１ブロックに内包され、少なくとも撮像部１１を含む。画像処理部１２、主制御部１３及びメモリ１４の全部又は一部がカメラ部に含まれていると考えても良いし、上述の第１ブロックそのものがカメラ部に相当すると考えても良い。
【符号の説明】
【００５３】
１  電子機器（カメラ）
２  電子機器
１１  撮像部
２１  通信部
２２  通信／更新制御部
２３  メモリ
【図１】
2014127911.tif 000003
【図２】
2014127911.tif 000004
【図３】
2014127911.tif 000005
【図４】
2014127911.tif 000006
【図５】
2014127911.tif 000007